(57)【要約】【課題】液剤含浸材の固定用カバーの表面が美容用液によって濡れ汚れるのを防止できる美容器具を提供する。【解決手段】電流を出力する電極部を有する本体ケーシングと、開口部を有し、前記電極部を被覆した状態の液剤含浸材を前記開口部から露出させた状態で保持するカバー体と、を備えている。前記カバー体の前記開口部を形成する縁部に凹部を形成する。前記凹部の内奥部に、カバー体の内外を連通する貫通孔を形成する。前記凹部の内奥部に凹凸部を形成する。【選択図】図６
2014087451.tif 000002
【特許請求の範囲】
【請求項１】
電流を出力する電極部を有する本体ケーシングと、開口部を有し、前記電極部を被覆した状態の液剤含浸材を前記開口部から露出させた状態で保持するカバー体と、を備えており、
前記カバー体の開口周縁部に凹部を形成したことを特徴とする美容機器。
【請求項２】
前記凹部の内奥部に、カバー体の内外を連通する貫通孔を形成したことを特徴とする請求項１に記載の美容機器。
【請求項３】
前記凹部は、底壁と、対向する２つの側壁によって形成されることを特徴とする請求項１または２に記載の美容機器。
【請求項４】
前記凹部の外周に突出部を形成したことを特徴とする請求項１乃至３のいずれかひとつに記載の美容機器。
【発明の詳細な説明】
【技術分野】
【０００１】
本発明は、美容機器に関する。
【背景技術】
【０００２】
従来、美容のために供する機器の一つとして、顔面や首筋、手指などの皮膚（以下、施療部位ともいう。）に通電して、イオン化された美容成分を施療部位に導入したり、施療部位の老廃物を除去する美容機器が知られている。
【０００３】
このような美容機器は、施療部位に当接させた状態で電流を出力する電極部と、前記電極部と逆の極性を有し、施療部位から離隔した皮膚に当接させる対電極部とを備えている。
【０００４】
そして、前記電極部の表面には、化粧水などの美容用液を含浸させた液剤含浸材を配設し、この液剤含浸材と人体（皮膚）とを介して電極部と対電極部との間で通電することにより、施療部位の老廃物を液剤含浸材に捕捉させたり、液剤含浸材中の美容成分を施療部位に導入するようにしている。
【０００５】
特に近年では、場所を問わずいつでも手軽に老廃物の除去やイオンの導入を行うことができるよう、美容機器を小型軽量化し、携帯容易にしたものが提供されている。（例えば、特許文献１参照）また、本体装置が別途備え付けられたような大掛かりなものであっても、コードを介して把持部を有す本体ケーシングを繋いだものも存在する。
【０００６】
このような小型軽量化された美容機器によれば、使用者は、所望の際に手軽に施療を行うことができるとしている。
【先行技術文献】
【特許文献】
【０００７】
【特許文献１】特開２００３−１０３４３号公報
【発明の概要】
【発明が解決しようとする課題】
【０００８】
上記従来の美容機器では、液剤含浸材に含浸させた美容用液が染み出て液剤含浸材の固定用のカバーの表面が濡れ汚れるという課題がある。
【０００９】
本発明は、斯かる事情に鑑みてなされたものであって、液剤含浸材の固定用のカバーの表面が美容用液によって濡れ汚れるのを防止できる美容器具を提供する。
【課題を解決するための手段】
【００１０】
上記従来の課題を解決するために、本発明では、電流を出力する電極部を有する本体ケーシングと、開口部を有し、前記電極部を被覆した状態の液剤含浸材を前記開口部から露出させた状態で保持するカバー体と、を備えており、前記カバー体の開口周縁部に凹部を形成した。
【００１１】
また、前記凹部の内奥部に、カバー体の内外を連通する貫通孔を形成した。
【００１２】
また、前記凹部は、底壁と、対向する２つの側壁によって形成される。
【００１３】
また、前記凹部の外周に突出部を形成した。
【発明の効果】
【００１４】
本発明によれば、カバー体の開口周縁部に凹部を形成したことにより、凹部が、液剤含浸材から染み出た美容用液の液受部となるので、カバー体の表面が美容用液で濡れ汚れるのを防止できる。
【００１５】
また、凹部の内奥部に、カバー体の内外を連通する貫通孔を形成したことにより、貫通孔が凹部内に溜った美容用液の移動通路となり、凹部内に溜った美容用液を貫通孔からカバー体の内方側の液剤含浸材に移送できるので、凹部内の美容用液が溢れ出てカバー体の表面が濡れ汚れるのを防止できる。
【００１６】
また、前記凹部は、底壁と、対向する２つの側壁によって形成されることにより、液剤含浸材側の側壁（内周側壁）が第１の堰となり、凹部を介して対向するもう一方の側壁（外周側壁）が第２の堰となって、カバー体の表面が濡れ汚れるのを可及的に防止できる。
【００１７】
また、前記凹部の外周に突出部を形成したことにより、堰が高くなり、前記凹部に溜った美容用液が前記カバー体の表面に零れ落ち難くなる。
【図面の簡単な説明】
【００１８】
【図１】本実施形態に係る美容機器Ａの外観を示した斜視図である。
【図２】本実施形態に係る美容機器Ａの分解斜視図である。
【図３】本実施形態に係る美容機器Ａの側面図である。
【図４】本実施形態に係る美容機器Ａの背面図である。
【図５】本実施形態に係る美容機器Ａを開状態とした際の斜視図である。
【図６】本実施形態に係る美容機器Ａの電極部近傍における断面図である。
【図７】本実施形態に係る美容機器Ａの枢支部近傍における断面図である。
【図８】本実施形態に係る美容機器Ａの側面の枢支部近傍における断面図である。
【図９】本実施形態に係る美容機器Ａの側面の電極部近傍における断面図である。
【図１０】本実施形態に係る美容機器Ａの底面図である。
【図１１】回路基板の構成を示すブロック図である。
【図１２】他の実施形態に係る美容機器Ｂの電極部近傍における断面図である。
【図１３】他の実施形態に係る美容機器Ｃの電極部近傍における断面図である。
【図１４】他の実施形態に係る美容機器Ｄの電極部近傍における断面図である。
【図１５】他の実施形態に係る美容機器Ｅの電極部近傍における断面図である。
【図１６】従来技術を示す参考図である。
【発明を実施するための形態】
【００１９】
本実施形態に係る美容機器は、電流を出力する電極部を有する本体ケーシングと、開口部を有し、前記電極部を被覆した状態の液剤含浸材を前記開口部から露出させた状態で保持するカバー体と、を備えており、前記カバー体の開口周縁部に凹部を周回状に形成したものとなっている。また、前記凹部の内奥部に、カバー体の内外を連通する貫通孔を形成したものとなっている。また、前記凹部は、底壁と、対向する２つの側壁（外周側壁と内周側壁）によって形成されたものとなっている。さらに、前記凹部の外周に突出部を形成したものとなっている。前記凹部が、液剤含浸材から染み出た美容用液の液受部となり、そのまま液溜め部となるので、前記カバー体の表面が美容用液で濡れ汚れるのを防止できる。前記貫通孔は前記凹部内に溜った美容用液の移動通路となり、前記凹部内に溜った美容用液を前記貫通孔から前記カバー体の内方側の前記液剤含浸材に移送できるので、前記凹部内の美容用液が溢れ出て前記カバー体の表面が濡れ汚れるのを防止できる。前記凹部は、底壁と、対向する２つの側壁によって形成されるので、３方が囲まれた形態となる。したがって液剤含浸材側の側壁（内周側壁）が第１の堰となり、凹部を介して対向するもう一方の側壁（外周側壁）が第２の堰となって、カバー体の表面が濡れ汚れるのを可及的に防止できる。前記凹部の外周に突出部を形成したことにより、堰が高くなり、前記凹部に溜った美容用液が前記カバー体の表面に零れ落ち難くなる。
【００２０】
このような美容機器は、例えば、電気的な力を利用した美容機器において適用され、例えば皮膚の老廃物等をイオンの力で導出させる、いわゆるイオンクレンジング器として使用することができる。
【００２１】
また、本実施形態に係る美容機器は、前述のイオンクレンジング器に限定されず、コットン等の液剤含浸材に含まれるイオン化成分を前記電極部からの電流（パルス電流）によって前記被施療部へ導入するいわゆるイオン導入器にも好適であることはいうまでもない。
【００２２】
ここで、施療部位は、特に限定されるものではないが、例えば本実施形態のように、本願発明に係る美容機器をイオンクレンジング器として使用する場合には、使用者が皮膚の老廃物を取り除きたい場所となる。特に、粘膜などからなるものではなく、顔面や手などのような肌であれば使用することができる。
【００２３】
また、本発明に係る美容機器をイオン導入器として使用した場合も同様であり、施療部位は特に限定されるものではなく、特に効果的には顔面を挙げることができる。
【００２４】
また、液剤含浸材は、液剤を含浸させることのできる素材であれば特に限定されるものではなく、略シート状に形成された布、コットン（脱脂綿）、スポンジ、ゲル体、不織布等のいずれであっても良い。
【００２５】
また、液剤含浸材に含浸させる液剤は、導電性を有する液剤であれば特に限定されるものではなく、水、イオン化成分溶液（電解質溶液）、化粧水、クレンジング液などの美容用液、またはこれらの混合溶液とすることができる。
【００２６】
併せて、液剤含浸材の形状は、例えば、矩形状、円形状、楕円形状、多角形状などあらゆる形状のものを使用することができ、サイズも適宜寸法のものを使用することができる。
【００２７】
また、液剤含浸材の厚みに関しては、５ｍｍ前後であれば好適に使用できるが特にそれに限定されるものではない。
【００２８】
また、イオン化成分溶液に含まれるイオン化成分としては、例えば、イオン化したビタミン類やミネラル分を挙げることができる。
【００２９】
本体ケーシングの表面に設けた電極部は、導電性のある金属や樹脂で形成している。また、電極部側から伸延する把持部に設けた対電極部も電極部と同様に、導電性のある金属や樹脂で形成しており、通電可能に構成しているが、電極部とは逆の極性となるようにしている。
【００３０】
そして、電極部を、液剤含浸材を介して皮膚（施療部位）にあてがうことにより、電極部から出力された電流は、液剤含浸材を通り、人体を介して対電極部へ流れることとなる。
【００３１】
すなわち、電極部と皮膚との間の電位勾配により、皮膚の老廃物を液剤含浸材に吸着させたり、液剤含浸材中のイオン化成分を施療部位に浸透させたりするようにしている。
【００３２】
また、この際、電極部からは、平滑電流が出力されるように構成してもよいが、パルス（パルス電流）が出力されるように構成するのが好ましい。このパルスの振幅やデューティー比などの各条件は特に限定されるものではなく、仕様や使用条件に合わせて適宜選択することができる。
【００３３】
このパルスは、電源部から供給される電流を、パルス出力部で変換することにより形成されるようにしてもよい。また、電源部は乾電池の他充電池でも良く、商用電源を直接利用するものや、別に備わる大型装置からコードなどで接続された本体ケーシングであっても電源部が内蔵されたとみなすこととする。
【００３４】
また、特徴的な構成として、液剤含浸材をカバー体と本体ケーシングとの間で押圧保持すべく、本体ケーシングに把持部を設ける一方、カバー体に把持領域形成部を設けている。
【００３５】
すなわち、カバー体の把持領域形成部と、本体ケーシングの把持部との両者を併せて把持することにより、液剤含浸材がカバー体と本体ケーシングとの間で挟持され、同液剤含浸材が電極部に押圧固定されるようにしている。
【００３６】
なお、カバー体と本体ケーシングは別体で構成されても良いが、後述する実施例のように枢支部を設けて、例えるならば、カバー体と本体ケーシングとの両者をトングのように機能させることも考えられる。
【００３７】
したがって、液剤含浸材の大きさや厚みに比較的左右されることなく、液剤含浸材を電極部に圧着固定することができ、使い勝手を極めて良好にすることができるのである。
【００３８】
また、使用者の身体を介して前記電極部と導通する対電極部は、把持部の側壁面部に形成すると良い。
【００３９】
対電極部を把持部の側壁面部だけでなく、背面側に亘って形成することにより、カバー体と本体ケーシングとの挟持状態を維持させるための把持姿勢が確実に対電極部を手指に接触させる姿勢につながり、従来のように対電極部を視認して意識的に接触する必要がなくなる。
【００４０】
また、使用者が把持部と把持領域形成部とを同時に把持する際に、挟持される液剤含浸材の弾性をもって反発する力が把持部の背面側に生じ、このことにより、使用者の手指にしっかりと対電極部が接触することとなり、確実に通電させることが出来る。
【００４１】
また、カバー体の長さは、少なくとも本体ケーシングの長さの半分以上とするのが好ましい。このような構成とすることにより、カバー体に設けられる把持領域形成部を大きくすることができ、これを手指で把持して電極部に載置した液剤含浸材を挟持しやすくなる。さらに、液剤含浸材を直接押圧する必要がないため、液剤含浸材に過剰な張力を与えることなく電極部に密着させることができる。
【００４２】
またカバー体の開口周縁部の、本体ケーシングに臨む側に突起を形成させるのが望ましい。この場合、液剤含浸材と開口部の当接力が高まり、装着性が向上する。突起の形状は連続的、断続的もしくは波状などが考えられる。
【００４３】
また、カバー体の長さは、本体ケーシングと略同長さに形成するようにしても良い。このような構成とすることにより、電極部に載置した液剤含浸材に過剰な張力が働くのを更に防止することができ、液剤含浸材を電極部に密着させることができる。
【００４４】
また、カバー体は、開口部が形成されたカバープレートの外縁を内側に折曲した鍔部を有し、液剤含浸材を押圧保持したときに、対電極部が配設された位置を除き当該鍔部と本体ケーシングの側壁面部との間に所定の間隙が形成されるようにカバープレートの幅を規定しても良い。
【００４５】
すなわち、本体ケーシングとカバープレートとを重合させた際に、開口部が形成された周辺の本体ケーシングとカバープレートとの間に、液剤含浸材を導く間隙を形成すると良い。
【００４６】
このような構成とすることにより、カバー体により電極部に圧着された液剤含浸材は、大きさによっては本体ケーシングとカバー体の鍔部との間に形成された間隙を通り、本体ケーシングの背面側に突出することとなるため、例えば、使用者が電極部（液剤含浸材）を顔面の目の近傍の皮膚に当接させた際に、カバー体よりはみ出した液剤含浸材が目に入ることを防止することができる。更には上記間隙に液剤含浸材が入り込むことでカバー体による電極への圧着力が増大する。
【００４７】
また、側壁面部の対電極部が配設された位置は鍔部により覆われていないので本体ケーシングをカバー体とともに把持した時、対電極部がスムーズに確実に手に接触することになる。また、液剤含浸材を装着のためにカバー体を本体ケースに対し開閉や着脱させる際、本体ケースを側壁面部を保持したまま、液剤含浸材の装着作業が行え、使い勝手がよい。
【００４８】
また、前記カバー体を、前記本体ケーシングに枢支部を介して開閉自在に連結しても良い。
【００４９】
このような構成とすることにより、カバー体を開状態とすることにより、液剤含浸材を容易に電極部に配設することができると共に、カバー体を閉状態とすることで、容易に液剤含浸材を電極部に圧着固定することができる。なお、挟持時の液剤含侵材へかかる引張力や開口部縁との摩擦力や位置ずれの点から、カバー体を本体ケーシングに対して略水平方向にして液剤含侵材を押し付けることが望ましい。その点からも、前述したように、カバー体が本体ケーシングの長さの少なくとも半分以上とした場合は、電極部が開口部をくぐり始める際の、本体ケーシングに対するカバー体の角度をできるだけ小さくすることができ、結果的に本体ケーシングに対してカバー体を略水平方向に押し付けた状態に可及的に近づけることができる。
【００５０】
また、上記枢支部の位置としては、前記電極部を前記本体ケーシング表面の長手側方向の一端側に設ける一方、前記枢支部を前記本体ケーシングの長手側方向の他端に設けることがより好ましい。また、図７に示すように側壁面部を避けた位置に形成された凹部も望ましい。この場合、枢支部が表面から隠れ、本体ケーシングを把持する際に手が接触することもないので、カバー体の開閉がよりスムーズとなる。また外力に対し保護されているので、例えばカバー体との離脱を容易にするためにバネ性をもたせた係合部を設ける場合などに、簡略構造を採用することが出来る。
【００５１】
もちろん、枢支部は、上記のように電極部の位置の反対側の端部に設ける構成に限らず、電極部と同じ側の端部に設けても良い。また、電極部は端部に設ける必要はなく、端部からやや離れた位置でも良く、例えば本体ケーシングの中央に電極部が形成されていてもかまわない。
【００５２】
更には、枢支部の位置は本体ケーシングの長手方向に沿った側部に設けられていても良い。
【００５３】
枢支部の位置が電極部と同一側にあれば、弱い把持力で十分な挟持力を付与させることが出来る効果があり、また枢支部の位置が側部であればカバー体の開閉時の回動量が軽減出来る効果がある。
【００５４】
更には図３に示すような実施例では、電極部を被施療部に当接させやすくするために美容機器本体及びカバー体を湾曲させて、電極部の突出方向を外側に向けているが、この場合は枢支部の位置が電極部と同一側にあれば枢支部を中心とした回動軌跡と電極部の突出方向が略一致し都合が良い。
【００５５】
このような構成とすることにより、カバー体の回動半径を大きくすることができて、液剤含浸材を載置した電極部がカバー体の開口を通過する際に、開口の周端部が液剤含浸材に略平行に当接することとなり、上述したようなことから、挟持時の液剤含侵材へ過剰な引張力がかかることや、位置ずれを効果的に防止することができる。
【００５６】
なお、枢支部には弾性体を配設して、本体ケーシングからカバー体が離隔する方向へ付勢したり、本体ケーシングとカバー体とが重合する方向に付勢したりするようにしても良い。
【００５７】
例えば、枢支部に、本体ケーシングからカバー体が離隔する方向へ付勢する弾性体を設けた場合、電極部に液剤含浸材を挿入するに際し、使用者がカバー体を離隔させて保持する動作を省くことができる。
【００５８】
また、枢支部に、本体ケーシングとカバー体とが重合する方向に付勢する弾性体を設けた場合には、使用者の握力が少ない場合でも、確実に液剤含浸材を美容機器に挟持させることができる。
【００５９】
また、本発明に係る美容機器は、使用時においては、カバー体の開口部と電極部が弾性のある液剤含浸材を介して嵌合した状態となっている場合が多く、把持による挟持力を得ずとも無用な開閉が生じにくい点に特徴がある。
【００６０】
しかしながら、美容機器の非使用時などでは、液剤含浸材との嵌合による離脱防止効果は得られない場合があるので、本体ケーシングとカバー体の無用な開閉を防止するために、把持領域形成部や枢支部に本体ケーシングにカバー体を係止するためのロック機構を設けるようにしても良い。把持領域形成部にロック機構を設けた場合、使用中は把持力によりロック機構が補強され、液剤含浸材との離脱防止効果が向上する。
【００６１】
また、ロック機構を非使用時以外に実際の液剤含浸材との嵌合時にも作用させるには、液剤含浸材の厚みの違いによる開閉角度の違いに対応させる必要があるが、枢支部と電極部が最も離れた位置関係にある場合、電極部から出来るだけ離れた位置にロック機構を設ければ開閉角度の違いが影響を受けにくくなる利点がある。後述する実施例１ではロック機構を枢支部に設け、カバー体の撓みにより電極部における液剤含浸材の厚みの違いを吸収させるとともに、電極部における施療中の肌との接触により発生する力が把持領域形成部での把持により人体で吸収されロック機構への影響を軽減させている。
【００６２】
また、前記電極部を、截頭円錐形状とすることができる。このような構成とすることにより、電極部（液剤含浸材）を顔面に当接させた際に、小鼻や目尻などの曲線や凹凸にフィットさせることができて、隅々まで容易に手入れ（施療）をすることができる。
【００６３】
以下、本発明に係る美容機器について、図面を参照しながら詳説する。
【００６４】
図１は、本実施形態に係る美容機器Ａの外観を示した斜視図、図２は本実施形態に係る美容機器Ａの分解斜視図、図３は本実施形態に係る美容機器Ａの側面図、図４は本実施形態に係る美容機器Ａの背面図である。
【００６５】
まず、美容機器Ａの概要を説明する。図１に示すように、本実施形態に係る美容機器Ａは、正面視略長矩形状で、側面視において僅かに円弧状に湾曲させた形状を有しており、同美容機器Ａの上部には、美容を行うための電流を出力する電極部１１を露出して形成している。
【００６６】
この電極部１１は、後に詳述するが、コットン等の液剤含浸材を載置して、美容機器Ａに挟持させることにより、使用者の施療部位に接触させて施療を行うための部位である。
【００６７】
また、図１及び図２にも示すように、美容機器Ａは、電極部１１を配設した美容機器本体１０と、電極部１１を露出させる略楕円形状の開口部１２を有し、側面視において美容機器本体１０に沿わせて円弧状に湾曲させたカバー体１３とを備えており、美容機器本体１０とカバー体１３とを重合させ、両者の下端部を組み合わせて形成した枢支部２２で左右幅方向のやや中央寄りで枢支して美容機器Ａを構成している。
【００６８】
また、この美容機器Ａは、特徴的な構成の一つとして、美容機器本体１０に把持部１７を形成する一方、カバー体１３に把持領域形成部３４を形成し、使用者は把持部１７とカバー体１３とを同時に把持して美容機器Ａを使用するようにしている。
【００６９】
すなわち、本実施形態に係る美容機器Ａは、枢支部２２を中心に美容機器本体１０に対してカバー体１３を回動して離隔させ、予め液剤を含浸させた液剤含浸材４４を電極部１１に配置し、カバー体１３を回動して美容機器本体１０に重合させた後、使用者は、把持部１７と把持領域形成部３４とを併せて把持して施療部位に液剤含浸材４４（電極部１１）を当接させて施療を行うものである。
【００７０】
ところで、ここで示す美容機器Ａは、図３にも示すように、本体形状を電極部１１側に突出するよう弓なりに湾曲させて形成しているが、これにより、電極部１１（液剤含浸材）を施療部位に接触させた際に、美容機器Ａを把持する手が、施療部位近傍の皮膚に当接して邪魔になることがない。
【００７１】
すなわち、施療の際に美容機器Ａを把持する手を、肌の表面からできるだけ離隔させるようにしている。また、電極部１１（液剤含浸材４４）を顔面に接触させた場合、使用者の手首に負担をかけず、手首をできるだけ自然な角度としながら美容機器Ａを把持することができるという長所がある。
【００７２】
次に、美容機器Ａを構成する美容機器本体１０とカバー体１３との構成について、個々に説明する。
【００７３】
美容機器本体１０は、図２に示すように、外観を形成する本体ケーシング１４により構成されている。また、この本体ケーシング１４には、表面１５に美容を行うための電流を出力する電極部１１が備えられている。
【００７４】
電極部１１は、美容機器本体１０の本体上端部１８近傍に配設されており、導電性素材にて外観視略截頭円錐形状に形成している。
【００７５】
また、本体ケーシング１４は、電極部１１側から本体下端部１９へ向けて伸延する把持部１７を一体形成して構成しており、同把持部１７の長手方向の長さは、大人の掌の幅と略同等としている。
【００７６】
本体ケーシング１４の本体下端部１９の端部の幅方向やや中央よりには、凹部２０,２０を形成しており、この凹部２０,２０には、カバー体１３に設けられた枢支孔２１,２１と遊嵌して枢支部２２（後述）を形成する枢支軸２３,２３が突設されている。
【００７７】
また、本体ケーシング１４の裏面には、図４に示すように、美容機器Ａを操作するための操作部２５が配設されている。本体ケーシング１４の側壁面部４９には図３に示すように使用者の身体を介して電極部１１と導通する対電極部２６が配設されている。
【００７８】
電源部１６は、本体ケーシング１４の内部に充電池（図示せず）として設けられており、図１０に示す充電用接続口６０を介して充電可能となっている。この電源部１６は、本体ケーシング１４の内部に配設した回路基板に電源を供給するものである。
【００７９】
操作部２５は、本体ケーシング１４の裏面の本体上端部１８側に配設されており、同操作部２５は、美容機器Ａの電源のＯＮ／ＯＦＦを表示する電源ランプ３０と、美容機器Ａの電源のＯＮ／ＯＦＦを切り替える電源スイッチ３１と、電極部１１と対電極部２６との間で導通する電流の大小を切り替える強弱切替スイッチ３２とを備えている。
【００８０】
これらの電源ランプ３０や各スイッチ３１,３２もまた、電源部１６と同様に、本体ケーシング１４に内蔵した回路基板に接続されており、各スイッチ３１,３２,３３から回路基板２９へ各種信号を送信することにより、美容機器Ａを制御可能としている。なお、この回路基板２９については、後に図１１を用いて説明する。
【００８１】
対電極部２６は、本体ケーシング１４の裏面２４から、同本体ケーシング１４の側壁面部４９に沿って左右２つ配設されており、使用者が把持部１７と把持領域形成部３４とを共に把持することで、対電極部２６に手指が接触するようにしている。
【００８２】
また、美容機器本体１０（本体ケーシング１４）の側壁面部に着眼すると、美容機器本体１０の左右幅方向をやや狭めて本体肩部３５が形成されており、この本体肩部３５を境に、下方を把持部１７とし、上方を幅狭部３６としている。
【００８３】
また、この幅狭部３６の正面視における形状は、カバー体１３の正面視における上部の形状よりも一回り（液剤含浸材４４の厚み程度）小さな略相似形状としている。
【００８４】
この幅狭部３６の側壁面部４９は、後述するカバー体１３の鍔部４２との間に隙間（導出空間Ｖ）を形成して、液剤含浸材４４が美容機器Ａの背面側に突出するよう設けられたものである。鍔部４２は図３、図１０からも明らかなように側壁面部４９の対電極部２６の配設された位置を避けて形成されており、本体ケーシング１４とカバー体１３を同時に把持した際にカバー体１３の鍔部４２が手指と対電極部２６の接触を邪魔しないようになっている。
【００８５】
なお、図１０に示す６０は充電用の商用電源との接続口である。
【００８６】
次に、美容機器本体１０と対をなすカバー体１３について説明すると、同カバー体１３は、全体が略平坦な短冊状であり、その上端部４０については正面視において略半円弧状に形成したカバープレート４１と、このカバープレート４１の外縁を内側に折曲して形成した鍔部４２とで構成している。
【００８７】
また、図３にも示すように、カバー体１３の長手方向の長さは、前述の本体ケーシング１４の長手方向の長さと略同長さとしており、電極部１１が後述する開口部１２をくぐり始める際の、本体ケーシング１４に対するカバー体１３の角度θをできるだけ小さくすることができ、本体ケーシング１４に対してカバー体１３を略水平方向に押し付けた状態に可及的に近づけるようにしている。
【００８８】
さらには本実施例では、電極部１１を被施療部に当接させやすくするために美容機器本体１０及びカバー体１３を湾曲させて、電極部１１の突出方向を外側（外方向）に向けている。電極部１１は、断面円形（楕円形含む）の側壁９１と、肌面に正対して施療面となる外壁９４とを含む截頭円錐形状となっている。
【００８９】
よって、この実施例では開口部１２の枢支部２２を中心とした回動軌跡と電極部１１の突出方向が一致しないが、電極部１１の形状を截頭円錐形状とし開口部１２へのスムーズな挿入を促進させている。
【００９０】
また、図２に示すように、カバープレート４１には、電極部１１を露出させるために、正面視において長手方向に長軸を向けた円形もしくは略楕円形状の開口部１２が上端部４０の近傍に穿設されており、この開口部１２は、美容機器本体１０に配設した電極部１１に対応する位置としている。
【００９１】
すなわち、美容機器本体１０とカバー体１３とを重合状態とした際に、電極部１１は開口部１２から突出するように形成している。
【００９２】
なお、開口部１２の楕円形状は、電極部１１から枢支部２２までの長さや、電極部１１の大きさによって適宜設定することができる。
【００９３】
本実施例においては、開口部１２および電極部１１の頂部平面形状をカバー体の長手方向に長い楕円形状としている。カバー体１３における開口部１２を形成している開口周縁部８８の内面（裏面）には突起６１が形成され、この実施例においては図６に示すように鍔部４２と同じ方向に鍔部４２より少ない突出量となっている。突起６１の形状は連続的、断続的もしくは波状などが考えられる。
【００９４】
また、図６に示すようにカバー体１３の開口周縁部８８の外面（表面）には、内凹み状の凹部８１が周回状に形成されている。本実施形態においては、カバープレート４１の縁部分であって、その外面（表面）に対して内凹み状の凹部８１が周回状に形成されている。後述するように凹部８１の底壁（内奥部）８４には、カバー体１３の内外を貫通してカバー体１３の内外の空間を連通する貫通孔８３を形成することができる。凹部８１は、液剤含浸材から染み出た美容用液の液受部となり、そのまま液溜め部となるので、カバー体１３の表面が美容用液で濡れ汚れるのを防止できる。
【００９５】
上端部４０側の凹部８１の深さに比べて美容機器本体１０の把持部１７側（カバー体１３に把持領域形成部３４側）、すなわち上端部４０と対向する側の凹部８１の深さを深くしている。その深さは上端部４０側から把持部１７側にかけて徐々に深くなるよう構成されているが、上端部４０側と把持部１７側の中間部分を境に２段階で深さが変わっていてもよい。これによって、把持部１７を持って顔肌などを施療（手入れ）する際、液剤含浸材から美容用液が染み出ても把持部１７側の凹部の液溜め空間が増しているため、カバー体１３の表面を濡れ汚すのを効果的に抑制できる。或いは、上端部４０側の凹部８１の深さを上端部４０側、把持部１７側を含める全周で同じにして、上端部４０側の凹部８１の幅に比べて美容機器本体１０の把持部１７側（カバー体１３に把持領域形成部３４側）、すなわち上端部４０と対向する側の凹部８１の幅を広くすることができる。その広さは上端部４０側から把持部１７側にかけて徐々に広くなるよう構成してもよいが、上端部４０側と把持部１７側の中間部分を境に２段階で広さが変わっていてもよい。これによって、把持部１７を持って顔肌などを施療（手入れ）する際、液剤含浸材から美容用液が染み出ても把持部１７側の凹部の液溜め空間が増しているため、カバー体１３の表面を濡れ汚すのを効果的に抑制できる。なお、上述の凹部４０の深さと広さの関係を同時に採用して構成できることはいうまでもない。  
【００９６】
本実施形態の凹部８１は、開口部１２に臨む側と外側（表面側）が開放した凹みとなっている。つまり、凹部８１は、底壁８４と外周側壁８６によって構成されている。なお、凹部８１は、後述するように、底壁８４と、互い同士が対向する２つの側壁（外周側壁８６と内周側壁８５）によって形成されていてもよい。
【００９７】
また、カバー体下端部４３近傍の鍔部４２には、美容機器本体１０の凹部２０,２０内に突設した枢支軸２３,２３を遊嵌するための枢支孔２１,２１を穿設しており、同枢支軸２３,２３を枢支孔２１,２１に挿入することで、枢支部２２を形成するようにしている。
【００９８】
本実施形態に係る美容機器Ａは、上述してきた構成を有する美容機器本体１０にカバー体１３を枢支して形成しているのである。
【００９９】
すなわち、美容機器本体１０とカバー体１３とは、両者の下端部にて枢支部２２を介して連結されており、カバー体１３は美容機器本体１０に対して、左右方向（美容機器Ａの幅方向）へ向けた軸線の円弧方向へ向けて所定の範囲で回動自在（開閉自在）に形成している。なお、以下の説明において、美容機器本体１０に対してカバー体１３が枢支部２２を軸として回動し、美容機器本体１０とカバー体１３とが重合した状態を閉状態といい、美容機器本体１０とカバー体１３とが離隔した状態を開状態という。
【０１００】
そして、特徴的には、把持領域形成部３４においてカバー体１３と把持部１３とを使用者が把持することにより、美容機器本体１０に対してカバー体１３が閉状態となるようにしている。すなわち、本実施形態に係る美容機器Ａは、電極部１１に液剤含浸材を載置し、使用者が把持領域形成部３４を把持することにより、枢支部２２を軸として美容機器本体１０とカバー体１３とが閉状態となり、トング状（ピンセット状）に液剤含浸材４４を挟持するよう構成している。カバー体１３の形状は把持領域形成部３４において側壁面部４９の対電極部２６を覆わない形状であれば良く、本実施例より巾が狭いもの、棒状のものなどが考えられる。棒状の場合、枢支部は１ヶ所となっても良い。
【０１０１】
次に、実際に美容機器Ａを使用する手順を追って、美容機器Ａの特徴的な構成について更に説明すると、まず、図５に示すように美容機器Ａを使用するにあたり、開状態とした美容機器Ａの電極部１１に、美容用液を予め含浸させた液剤含浸材４４を配置する。或いは、美容用液を予め含浸させないでそのまま液剤含浸材４４を配置する。なお、図５は、本実施形態に係る美容機器Ａを開状態とした際の斜視図である。
【０１０２】
次いで、カバー体１３を美容機器本体１０へ徐々に接近させると、カバー体１３は、液剤含浸材４４に接触することとなる。
【０１０３】
さらに、使用者は、把持領域形成部３４において把持部１７とカバー体１３を共に把持することにより、液剤含浸材４４が電極部１１に押しつけられると同時に、液剤含浸材４４が電極部１１を被覆した状態で圧着固定されながら開口部１２より露出することとなる。このようにカバー体１３を本体ケーシング１４に対して閉じた状態がカバー体１３の装着状態である。このとき電極部１１の側壁９１に対して、カバー体１３の、開口部１２に臨む側壁９２は正対する状態となっている。一方、側壁９２に対して直交するカバー体１３の外面（表面）の壁９３は、電極部１１の側壁９１に対して交差（略直交）する状態となっている。つまり、液剤含浸材４４は、電極部１１の側壁９１と、カバー体１３の、開口部１２に臨む側壁９２との間に位置しており、この間においても位置保持されている。美容用液を予め含浸させないでそのまま液剤含浸材４４を配置していた場合は、このとき美容用液を含浸させる。
【０１０４】
この際、電極部１１近傍における左右幅方向の断面を見ると、図６に示すように、美容機器本体１０とカバー体１３との間に導出空間Ｖが形成され、液剤含浸材４４が大きい場合この導出空間Ｖにより、美容機器本体１０の側壁面部４９に沿って裏面側に向けて突出することとなる。
【０１０５】
ここで、従来の美容機器における液剤含浸材の挟持形態を参照すると、図１６（ｂ）に示すように、導出空間Ｖを形成していないため、液剤含浸材１０５が美容機器１００の外側面に向けて突出していることが分かる。
【０１０６】
このように美容機器１００の外側面に液剤含浸材１０５が突出すると、例えば、使用者が目の近傍を施療している場合、側方に突出した液剤含浸材１０５の端部が目に入ってしまったり、邪魔になったりするおそれがある。
【０１０７】
一方、図６に示すように、本実施形態に係る美容機器Ａによれば、導出空間Ｖを設けて液剤含浸材４４の余剰分を鍔部４２と上述した突起６１により美容機器Ａの裏面側に向けて導いて（誘導して）、裏面側に突出させることとしているため、使用者が、例えば目元近傍の施療を行った場合でも、液剤含浸材４４が目に入るおそれがなく、安全に施療を行うことができる。特に上述の突起６１は液剤含浸材４４の電極１１に対する保持力を高める効果がある。
【０１０８】
上述してきたように、本実施形態に係る美容機器Ａによれば、使用者が把持領域形成部３４を把持すると同時に対電極部２６に接触することとなり、使用者が液剤含浸材４４（電極部１１）を施療部位に当接させることで、電極部１１と対電極部２６との間で、液剤含浸材４４と人体とを介して導通し、皮膚の老廃物を除去したり、皮膚にイオン化成分を浸透させることができる。
【０１０９】
図７、図８を用いて枢支部２２の構造をより具体的に説明する。枢支部２２は本体ケーシング１４に設けられた凹部２０に枢支孔２１と枢支軸２３が係合することにより構成され、枢支軸２３が本体ケーシング１４に対し軸方向に撓みやすいように延出されている。枢支軸２３が撓むことにより枢支孔２１との係合は比較的容易に離脱出来るようにしている。また、枢支軸２３は凹部２０内に設けられているので直接手指などが触れることがなく、本実施例のような単純な構造でばね性のある枢支軸２３を形成しても強度的に問題ない。又この凹部２０は本体ケーシング１４の内部とは完全に遮断されており、枢支軸２３を介して美容用液等が浸入することを防止出来る。すなわち、この凹部２０が美容用液浸入防止用の溜まり部として機能している。図７にて良くわかる様に、カバー体１３の鍔部４２は把持領域形成部３４においては、対電極部２６を覆わない様に設定され把持しやすい様に傾斜した形状としている。したがって、カバー体１３の開閉時の指のはさみを防止し、対電極部２６の指との接触をより確実にし、さらには本体ケーシング１４の外観に沿う様にカバー体１３が形成されることで、カバー体１３の横ずれも防止出来る。
【０１１０】
図８はカバー体１３と本体ケーシング１４の開閉ロック機構４６を示しており、カバー体１３の枢支孔２１周辺に設けられたロック凹部４７と本体ケーシング１４の凹部２０内に形成されたロック片４８が係合するようになっている。  ロック凹部４７は周上に２箇所設けられカバー体１３がほぼ開いた状態（液剤含浸材４４を電極部に載置する状態）とほぼ閉じた状態（液剤含浸材４４を挟んだ状態）でロック出来るようにしている。
【０１１１】
また、このように電極部１１から最も離れた枢支部２２にロック機構４６を設ければ、液剤含浸材を挟まずに閉じた状態と厚い液剤含浸材を挟んだ状態のいずれでも状態の違いをカバー体１３が撓むことで吸収出来、ロック状態を維持できる。
【０１１２】
次に美容機器本体１０の先端側に設けられた電極部１１の内部構成につき説明する。図９は電極部１１の内部を示す断面図であるが、電極部１１内には、導電性のあるゴム材からなる電極材５４と電極材５４の中央部分に凹入形成された空間Ｓに振動部５６が配設されている。振動部５６はモータ５２、モータ５２の先端側に設けられた偏心部５３及びモータケーシング５７からなり、モータケーシング５７と電極材５４は電極材にインサート成形された導電性ねじ受部５５に本体ケーシング１４とともにねじ止めされることで固定される。
【０１１３】
ねじ５８は導電性を有しており、よって美容機器本体１０内部の回路基板と電極部１１は電気的に接続されている。振動部５６は、ねじ５８により複数個所ねじ止めされ、モータ５２と回路基板も接続される。振動部５６の振動はロック機構のロック力に悪影響を与えるが、上述のように振動部５６から最も離れた枢支部２２内にロック機構４６を配し、又使用中は把持されるので中途で振動が人体に吸収されロック機構４６に対する振動の影響を最小限とすることが出来る。
【０１１４】
すなわち、本実施例に係る美容機器は、本体ケーシングに重合された状態でカバー体１３を把持するにあたり、その把持領域形成部３４の上部に電極部１１、下部にロック機構４６が配された構成なので、施療中の肌との接触により電極部１１が受ける外力を、把持により人体に吸収させることでその影響をロック機構４６に伝達させないという特徴があるが、電極部１１に振動部５６を設けた場合、その振動についてもロック機構４６に影響を与えず、使用中のロック効果が特に優れたものとなる。
【０１１５】
次に、図１１を用いて美容機器本体１０の内部に収容した、美容機器Ａを制御するための回路基板について説明する。図１１は、回路基板の構成を示すブロック図である。
【０１１６】
図１１に示すように、回路基板は、電源を供給するための電源部１６と、同電源部１６に接続され、美容機器Ａの制御を行う制御部３８とを備えている。本実施形態において電源部１６は図１０に示した商用電源との接続口６０から充電させる充電池としている。
【０１１７】
また、制御部３８には、美容機器Ａの電源のＯＮ／ＯＦＦを行うための電源スイッチ３１と、電極部１１と対電極部２６との極性を反転させるための極性反転スイッチ３３と、電極部１１より出力する電流の大小を調節する強弱切替スイッチ３２と、美容機器Ａの駆動状態を示す電源ランプ３０と振動部５６の作動の為の振動スイッチ５９を接続している。
【０１１８】
さらに、制御部３８には、電極部１１にパルスを出力するパルス出力部３９とモータ駆動部２９を接続しており、制御部３８からの信号に応じて、電源部１６より供給される電流をパルスに変換して出力したり、モータを駆動し振動を発生させたりしている。
【０１１９】
このパルス出力部３９には、被施療部に液剤含浸材４４を介して接触させ、当該被施療部に電流を出力する電極部１１と、前記電極部１１と使用者の人体を介して導通する対電極部２６とが接続されている。
【０１２０】
そして、このような構成の回路基板を有する美容機器Ａによれば、以下の様な動作を行うこととなる。
【０１２１】
まず、電源スイッチ３１をＯＮ動作すると、電源部１６より制御部３８に電流が供給され、電源ランプ３０が点灯し、制御部３８はパルス出力部３９にパルス出力を指示する信号を送信する。
【０１２２】
パルス出力部３９は、制御部３８からのパルス出力を指示する信号を受信すると、制御部３８を介して電源部１６からの電流を受けてパルスに変換し、電極部１１に出力する。
【０１２３】
パルスは、電極部１１から液剤含浸材４４を介して人体を通り、電極部１１と反対の極性を有する対電極部２６に導通することとなる。
【０１２４】
この際、電極部１１の表面に配設した液剤含浸材４４には、電極部１１と反対の極性を帯びた老廃物が、施療部位から吸引されて捕捉されることとなる。
【０１２５】
また、ここで、極性反転スイッチ３３をＯＮ動作すると、制御部３８は、パルス出力部３９に、電極部１１と対電極部２６との極性を入れ替える信号を送出する。
【０１２６】
これにより、例えば液剤含浸材４４にイオン化成分が含浸されている場合には、電極部１１の極性と反対の極性を有するイオン化成分が人体側へ向かって流れ、液剤含浸材４４（電極部１１）と当接する被施療部にイオン化成分を浸透させることができる。
【０１２７】
また、強弱切替スイッチ３２をＯＮ動作すると、制御部３８は、電源部１６からパルス出力部３９へ送給する電流の大小を切り替え、電極部１１から出力されるパルスの振幅が変更されることとなる。
【０１２８】
これにより、液剤含浸材に老廃物を吸着させる際の吸着力を加減したり、液剤含浸材に含まれるイオン化成分を電極部１１から被施療部へ向けて供給する際の供給量を増減させることができる。また、振動スイッチ５９をＯＮ動作すると上記モータ駆動部２９が駆動し、電極部１１に振動を与える。
【０１２９】
このようにして施療を行った後、使用者は、電源スイッチ３１をＯＦＦ動作することにより、電源部１６から供給される電流を遮断し、施療部位の老廃物の吸着や、液剤含浸材から施療部位へ供給されるイオン化成分の流れを止めることができる。
【０１３０】
次に、本発明に係る美容機器の他の実施形態について図１２に示す美容機器Ｂを用いて説明する。図１２は、図１〜図１１に示す実施形態の美容機器Ａの図６の断面図と同様の電極部近傍の断面を示す断面図である。なお、以下の説明において、前述の説明と同じ部位には同じ符号を付している。また、前述の美容機器Ａと同様の構成を有する部分については説明を省略する。基本的に、カバー体１３の把持領域形成部３４や枢支部２２および電極部１１、体電極部２６を含む美容機器本体１０については美容機器Ａと同等の構造と考えてよい。
【０１３１】
この美容機器Ｂは、前述の美容機器Ａと基本的な構成を同じくしているが、カバー体１３における開口部１２の周辺の構造が異なっている。
【０１３２】
すなわち、カバー体１３の開口周縁部８８の外面（表面）に周回状に形成された凹部８１に少なくとも１つの貫通孔８３が形成されている。具体的には、周回状に形成された凹部８１の底壁（内奥部）８４には、カバー体１３の内外を貫通してカバー体１３の内外の空間を連通する貫通孔８３が形成されている。本実施形態では、貫通孔８３は、凹部８１の周方向に均等間隔で複数形成されている。もちろん貫通孔８３は１つであってもよい。これにより、凹部８１が、液剤含浸材４４から染み出た美容用液の液受部となり、そのまま液溜め部となるので、カバー体１３の表面が美容用液で濡れ汚れるのを防止できるとともに、貫通孔８３が凹部８１内に溜った美容用液の移動通路となり、凹部８１内に溜った美容用液を貫通孔８３からカバー体１３の内方側に位置する液剤含浸材４４に移送できるので、凹部８１内の美容用液が溢れ出てカバー体１３の表面が濡れ汚れるのを防止できる。
【０１３３】
また、本実施形態のカバー体１３の凹部８１の外周には、外方向に向けて突出する突出部８２が形成されている。具体的には、カバー体１３の凹部８１に近接した周囲位置に、カバープレート４１の外面（表面）よりも突出するリブが形成されている。本実施形態では、このリブを突出部８２としている。この突出部８２により、凹部８１の堰が高くなり、凹部８１に溜った美容用液がカバー体１３の表面に零れ落ち難くなる。
【０１３４】
その他の構成は上述した実施形態の美容機器Ａと同じ構成である。
【０１３５】
次に、本発明に係る美容機器のさらなる他の実施形態について図１３に示す美容機器Ｃを用いて説明する。図１３は、図１〜図１１に示す実施形態の美容機器Ａの図６の断面図と同様の電極部近傍の断面を示す断面図である。なお、以下の説明において、前述の説明と同じ部位には同じ符号を付している。また、前述の美容機器Ａと同様の構成を有する部分については説明を省略する。基本的に、カバー体１３の把持領域形成部３４や枢支部２２および電極部１１、体電極部２６を含む美容機器本体１０については美容機器Ａと同等の構造と考えてよい。
【０１３６】
この美容機器Ｃは、前述の美容機器Ａと基本的な構成を同じくしているが、カバー体１３における開口部１２の周辺の構造が異なっている。
【０１３７】
すなわち、カバー体１３の開口周縁部８８の外面（表面）に内凹み状の凹部８１が周回状に形成されている点は、美容機器Ａ、Ｂと同じであるが、凹部８１が、カバー体１３の、開口部１２に臨む壁（内周側壁８５）から所定の距離をとった位置に周回状に形成されている点が異なっている。これにより、凹部８１は、底壁（内奥部）８４と、互い同士が対向する２つの側壁（外周側壁８６と内周側壁８５）によって形成されることになり、３方が壁で囲まれた形態となる。したがって液剤含浸材４４（開口部１２に臨む）側の壁（内周側壁８５）が第１の堰となり、この第１の堰と凹部８１を介して対向する液剤含浸材４４（開口部１２）から離れた側のもう一方の壁（外周側壁８６）が第２の堰となって、この２つの堰によりカバー体１３の表面が濡れ汚れるのを可及的に防止できている。
【０１３８】
また、美容機器Ｂと同様に、カバー体１３の開口周縁部８８の外面（表面）に周回状に形成された凹部８１に少なくとも１つの貫通孔８３が形成されている。具体的には、周回状に形成された凹部８１の底壁（内奥部）８４には、カバー体１３の内外を貫通してカバー体１３の内外の空間を連通する貫通孔８３が形成されている。本実施形態では、貫通孔８３は、凹部８１の周方向に均等間隔で丸穴状の孔が複数形成されている。もちろん貫通孔８３は１つであってもよい。これにより、凹部８１が、液剤含浸材４４から染み出た美容用液の液受部となり、そのまま液溜め部となるので、カバー体１３の表面が美容用液で濡れ汚れるのを防止できるとともに、貫通孔８３が凹部８１内に溜った美容用液の移動通路となり、凹部８１内に溜った美容用液を貫通孔８３からカバー体１３の内方側に位置する液剤含浸材４４に移送できるので、凹部８１内の美容用液が溢れ出てカバー体１３の表面が濡れ汚れるのを防止できる。
【０１３９】
さらに、美容機器Ｂと同様に、カバー体１３の凹部８１の外周には突出部８２が形成されている。具体的には、カバー体１３の凹部８１に近接した周囲位置に、開口部１２に臨む壁（内周側壁８５）の端面よりも突出するリブが形成されている。このリブは、さらにいえば、カバープレート４１の外面（表面）よりも突出する形態である。本実施形態では、このリブを突出部８２としている。この突出部８２により、凹部８１の堰が高くなり、凹部８１に溜った美容用液がカバー体１３の表面に零れ落ち難くなる。
【０１４０】
その他の構成は上述した実施形態の美容機器Ａと同じ構成である。
【０１４１】
次に、本発明に係る美容機器のさらなる他の実施形態について図１４に示す美容機器Ｄを用いて説明する。図１４は、図１〜図１１に示す実施形態の美容機器Ａの図６の断面図と同様の電極部近傍の断面を示す断面図である。なお、以下の説明において、前述の説明と同じ部位には同じ符号を付している。また、前述の美容機器Ａと同様の構成を有する部分については説明を省略する。基本的に、カバー体１３の把持領域形成部３４や枢支部２２および電極部１１、体電極部２６を含む美容機器本体１０については美容機器Ａと同等の構造と考えてよい。
【０１４２】
この美容機器Ｄは、前述の美容機器Ａと基本的な構成を同じくしているが、カバー体１３における開口部１２の周辺の構造が異なっている。また美容機器Ｄは、美容機器Ｂ、Ｃのカバー体１３における開口部１２の周辺の構造とも異なっている。
【０１４３】
本実施形態の美容機器Ｄは、カバー体１３のカバープレート４１の開口部１２に臨む壁から外方向に向けて突出するリブ８５を周回状に突出形成するとともに、カバー体１３のカバープレート４１の開口部１２に臨む壁から所定距離離れた外周位置に第二のリブ８６を外方向に向けて周回状に突出形成しており、互いが対向するリブ８５・８６とカバープレート４１により形成される空間を凹部８１としている。本実施形態の場合、リブ８５が内周側壁となり、リブ８６が外周側壁となる。また、カバープレート４１が底壁（内奥部）８４となる。
【０１４４】
すなわち、美容機器Ａ、Ｂ、Ｃの凹部８１は、平坦状のカバープレート４１の外面（表面）に内凹み状の溝を形成して構成するものであるが、本実施形態の美容機器Ｄは、平坦状のカバープレート４１の表面に、周回状に二重のリブ８５・８６を突出形成してリブ８５とリブ８６との間に形成される周回状の溝を凹部８１とした構成である。
【０１４５】
これにより、凹部８１は、底壁（内奥部）８４と、互い同士が対向する２つの側壁（外周側壁８６と内周側壁８５）によって形成されることになり、３方が壁で囲まれた形態となる。したがって液剤含浸材４４（開口部１２に臨む）側の壁（内周側壁８５）が第１の堰となり、この第１の堰と凹部８１を介して対向する液剤含浸材４４（開口部１２）から離れた側のもう一方の壁（外周側壁８６）が第２の堰となって、この２つの堰によりカバー体１３の表面が濡れ汚れるのを可及的に防止できている。
【０１４６】
開口部１２に臨むリブ（内周側壁）８５の壁には、開口部１２側に向けて突出する側壁リブ８７が周回状に一体で設けられている。これにより、電極部１１と開口部１２に臨む壁（内周側壁８５）との間で液剤含浸材４４を挟持固定するとき、液剤含浸材４４を側壁リブ８７によってより強固に保持できる。さらに側壁リブ８７の存在により、開口部１２に臨むリブ（内周側壁）８５を伝って染み出ようとする美容用液を止めることができる。
【０１４７】
また、美容機器Ｂ、Ｃと同様に、カバー体１３の開口周縁部８８の外面（表面）に周回状に形成された凹部８１に少なくとも１つの貫通孔８３が形成されている。具体的には、周回状に形成された凹部８１の底壁（内奥部）８４には、カバー体１３の内外を貫通してカバー体１３の内外の空間を連通する貫通孔８３が形成されている。本実施形態では、貫通孔８３は、凹部８１の周方向に均等間隔で丸穴状の孔が複数形成されている。もちろん貫通孔８３は１つであってもよい。これにより、凹部８１が、液剤含浸材４４から染み出た美容用液の液受部となり、そのまま液溜め部となるので、カバー体１３の表面が美容用液で濡れ汚れるのを防止できるとともに、貫通孔８３が凹部８１内に溜った美容用液の移動通路となり、凹部８１内に溜った美容用液を貫通孔８３からカバー体１３の内方側に位置する液剤含浸材４４に移送できるので、凹部８１内の美容用液が溢れ出てカバー体１３の表面が濡れ汚れるのを防止できる。
【０１４８】
さらに、美容機器Ｂ、Ｃと同様に、カバー体１３の凹部８１の外周には突出部８２が形成されている。具体的には、カバー体１３の凹部８１に近接した周囲位置に、開口部１２に臨むリブ（内周側壁）８５の端面よりも突出するリブ８２が形成されている。具体的には、リブ８２は、リブ８６の突出方向に同リブ８６と一体で形成されている。本実施形態では、このリブ８２を突出部８２としている。この突出部８２により、凹部８１の堰が高くなり、凹部８１に溜った美容用液がカバー体１３の表面に零れ落ち難くなる。
【０１４９】
その他の構成は上述した実施形態の美容機器Ａと同じ構成である。
【０１５０】
次に、本発明に係る美容機器のさらなる他の実施形態について図１５に示す美容機器Ｅを用いて説明する。図１５は、図１〜図１１に示す実施形態の美容機器Ａの図６の断面図と同様の電極部近傍の断面を示す断面図である。なお、以下の説明において、前述の説明と同じ部位には同じ符号を付している。また、前述の美容機器Ａと同様の構成を有する部分については説明を省略する。基本的に、カバー体１３の把持領域形成部３４や枢支部２２および電極部１１、体電極部２６を含む美容機器本体１０については美容機器Ａと同等の構造と考えてよい。
【０１５１】
この美容機器Ｅは、前述の美容機器Ａと基本的な構成を同じくしているが、カバー体１３における凹部８１の形成方法が異なっている。美容機器Ｄの考え方に近い。
【０１５２】
すなわち、カバー体１３のカバープレート４１の開口部１２に臨む壁から所定距離離れた外周位置にリブ８６を外方向に向けて突出形成している。このリブ８６とカバープレート４１により形成される空間を凹部８１としている。本実施形態の場合、リブ８６が外周側壁となり、カバープレート４１が底壁（内奥部）８４となる。
【０１５３】
その他の構成は上述した実施形態の美容機器Ａと同じ構成である。
【０１５４】
上述した実施形態の美容機器Ａ、Ｂ、Ｃ、Ｄ、Ｅは、以下の態様で実施することができる。
電流を出力する電極部１１を有する本体ケーシング１４と、開口部１２を有するカバー体１３と、を備えており、
カバー体１３は、本体ケーシング１４にカバー体１３を装着したときに電極部１１を被覆した状態の液剤含浸材４４を開口部１２から露出させた状態で保持しており、
カバー体１３の表面（外面（壁９３））の開口周縁部８８に凹部８１を周回状に形成したことを特徴とする美容機器。
さらに詳しく表現すると、
電流を出力する電極部１１を有する本体ケーシング１４と、開口部１２を有するカバー体１３と、を備えており、
カバー体１３は、本体ケーシング１４にカバー体１３を装着したときに電極部１１を被覆した状態の液剤含浸材４４を開口部１２から露出させた状態で保持しており、
電極部１１は、肌面に正対する外壁９４と、これを支持する側壁９１とを含み、
本体ケーシング１４にカバー体１３を装着したときに、カバー体１３の、開口部１２に臨む側壁９２は、電極部１１の側壁９１に対して正対する状態となっており、一方、カバー体１３の表面（外面（壁９３））は、電極部１１の側壁９２に対して交差する状態となっており、
カバー体１３の表面（外面（壁９３））の開口周縁部８８に凹部８１を周回状に形成したことを特徴とする美容機器。
これにより、凹部８１が、液剤含浸材４４から染み出た美容用液の液受部となり、そのまま液溜め部となるので、カバー体１３の表面（外面）が美容用液で濡れ汚れるのを防止できる。また、本体ケーシング１４にカバー体１３を装着したときに、電極部１２の側壁９１と、この側壁９１に正対するカバー体１３の壁９２との間で液剤含浸材４４を保持できる。
【０１５５】
上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１５６】
例えば、上述した実施形態の美容機器Ａ、Ｂ、Ｃは何れも本体ケーシング１４とカバー体１３とが別体で構成されているものの枢支部を介して一体に構成されてなるものであるが、その必要はなく、本体ケーシング１４とカバー体１３とが別体で構成されていて、本体ケーシング１４に対してカバー体１３が着脱自在に装着されてなるものであってもよい。この場合、カバー体１３に、把持領域形成部３４を設ける必要はなく、カバー体１３は、無端枠状のリング形態であってもよい。カバー体１３がリング形態の場合、カバープレート４１の面積は極端に小さくなるが、これであっても本発明に係る技術的思想を逸脱しないものである。本体ケーシング１４に対してカバー体１３が着脱自在に装着される構成に関して、この装着状態を得るために本体ケーシング１４とカバー体１３とが係合固定される構造であってもよいし、電極部１１に係合構造を設け、これにカバー体１３が係合固定される構造であってもよい。
【０１５７】
また、凹部８１は、カバー体１３の開口周縁部８８に断続的に周回形成されるものであってもよい。凹部８１は、一重の凹部に限らず、二重、三重に形成されるものであってもよい。
【０１５８】
上述した実施形態の美容機器Ｂ、Ｃの突出部８２は、凹部８１を形成する外周側壁８６に連続して形成されているが、その必要はなく、僅かに凹部８１から離れた外周側壁８６から突出した突出部８２であってもよい。つまり凹部８２と突出部８２とが階段状に形成されるものであってもよい。美容機器Ｂ、Ｃ、Ｄの突出部８２のように外周側壁８６から一体で形成したリブで構成する必要はなく、別体のリングを溶着、または接着して構成した突出部であってもよい。
【０１５９】
さらに、上述した実施形態の美容機器Ａ、Ｂ、Ｃ、Ｅは何れも本体ケーシング１４の側壁面部に対電極部２６を設けているが、これに限定されるものではなく、本体ケーシング１４の端部に形成される電極部１１と同じ位置に設けることができる。つまり本体ケーシング１４に対してカバー体１３を閉じた際、或いは別体のカバー体１３を装着した際、電極部１１と対電極部２６とがともに液剤含浸材４４を介して開口部１２に臨む構成である。これによっても対電極部２６と電極部１１とは使用者の人体を介して導通されることになり、肌面に対して電気的な施療を行うことができる。  
【０１６０】
また、開口部１２の形状を楕円形状として説明したが、真円であってもよい。
【符号の説明】
【０１６１】
１０  美容機器本体
１１  電極部
１２  開口部
１３  カバー体
１４  本体ケーシング
１５  表面
１６  電源部
１７  把持部
２２  枢支部
２４  裏面
２６  対電極部
３４  把持領域形成部
４１  カバープレート
４２  鍔部
４４  液剤含浸材
８１  凹部
８２  突出部
８３  貫通孔
８４  底壁（内奥部）
８５  側壁（内周側壁）
８６  側壁（外周側壁）
Ａ  美容機器
Ｂ  美容機器
Ｃ  美容機器
Ｄ  美容機器
Ｅ  美容機器
Ｖ  導出空間
【図１】
2014087451.tif 000003
【図２】
2014087451.tif 000004
【図３】
2014087451.tif 000005
【図４】
2014087451.tif 000006
【図５】
2014087451.tif 000007
【図６】
2014087451.tif 000008
【図７】
2014087451.tif 000009
【図８】
2014087451.tif 000010
【図９】
2014087451.tif 000011
【図１０】
2014087451.tif 000012
【図１１】
2014087451.tif 000013
【図１２】
2014087451.tif 000014
【図１３】
2014087451.tif 000015
【図１４】
2014087451.tif 000016
【図１５】
2014087451.tif 000017
【図１６】
2014087451.tif 000018